(57)【要約】  非同期網と同期網が混在する移動通信網においてパケットデータサービス利用中又はドーマント状態の移動通信端末のハンドオーバーを可能にする移動通信システム及びハンドオーバー方法を提示する。本発明は、非同期移動通信システムでパケットデータサービスを利用している移動通信端末が同期移動通信システムに移動するにしたがい、非同期移動通信システムの要請に応じて移動通信端末と同期移動通信システム間にチャンネルが割り当てられれば、呼設定を実行した後、非同期移動通信システムのノードＢが移動通信端末との接続を解除するようにした後、移動通信端末に新しいモバイルＩＰを割り当てて、同期移動通信システムによってパケットデータサービスが連続的に提供されるようにし、移動通信端末がドーマント状態の場合、移動通信端末が同期網に移動することにより、非同期網でハンドオーバーが必要であるという報告を受け、同期網にハンドオーバーを命令すれば、移動通信端末と同期網間に呼処理及びチャンネル割当過程、トランク設定を実行し、移動通信端末にモバイルＩＰを割り当てることで、同期網に移動した移動通信端末が同期網でドーマント状態を維持するようにする。
2007518343.tif 000002
【特許請求の範囲】
【請求項１】
非同期移動通信システムと同期移動通信システムが混在する移動通信網において、非同期モデム部及び同期モデム部を具備するデュアルバンドデュアルモード移動通信端末のパケットデータサービスのためのハンドオーバー方法であって、
前記非同期移動通信システムとドーマント状態にある前記移動通信端末が前記同期移動通信システム側に移動すれば、前記非同期移動通信システムのＳＧＳＮ／ＧＧＳＮがハンドオーバーの必要性を受信する第１過程；
前記ＳＧＳＮ／ＧＧＳＮが前記同期移動通信システムの基地局にハンドオーバーを実行することを命令する第２過程；
前記移動通信端末が前記基地局に発信を試みて、前記基地局と同期移動通信システムの交換期間に呼処理及びチャンネル割当を行う第３過程；
前記移動通信端末と前記基地局間に呼処理設定関連交渉を行う第４過程；
前記同期移動通信システムでトランク設定を行う第５過程；
前記移動通信端末と前記基地局間の無線リンクプロトコルを初期化する第６過程；
前記基地局が前記交換機にチャンネル割当が完了したことを報告する第７過程；
前記移動通信端末と前記同期移動通信システムのパケットデータサービスノード間にパケットデータ呼を設定する第８過程；及び
前記同期移動通信システムから前記移動通信端末にモバイルＩＰを割り当てる第９過程；
を含むことを特徴とする、ハンドオーバー方法。
【請求項２】
前記第１過程で、前記ＳＧＳＮ／ＧＧＳＮは前記非同期移動通信システムのノードＢ又は前記同期移動通信システムの基地局からハンドオーバーが必要であるという報告を受けることを特徴とする、請求項１に記載のハンドオーバー方法。
【請求項３】
前記第１過程で、前記ＳＧＳＮ／ＧＧＳＮは前記移動通信端末の識別番号を受信することを特徴とする、請求項１に記載のハンドオーバー方法。
【請求項４】
前記第２過程で、前記ＳＧＳＮ／ＧＧＳＮの前記移動通信端末へのハンドオーバー実行命令メッセージは、チャンネル割当情報、トラフィックチャンネル進入情報を含むことを特徴とする、請求項１に記載のハンドオーバー方法。
【請求項５】
前記第３過程は、
前記移動通信端末の発信試みによって前記基地局が前記交換機にサービス要請メッセージを伝送する段階；
前記交換機が前記基地局にチャンネル割当を要請する段階；及び
前記基地局が前記移動通信端末にチャンネル割当メッセージを伝送する段階；
を含むことを特徴とする、請求項１に記載のハンドオーバー方法。
【請求項６】
前記第５過程は、
前記基地局が前記同期移動通信システムのパケット制御機にトランク設定を要請する段階；
前記パケット制御機がパケットデータサービスノードにトランク設定を要請し、応答を受信する段階；及び
前記パケット制御機が前記パケットデータサービスノードの応答信号を前記基地局に伝送する段階；
を含むことを特徴とする、請求項１に記載のハンドオーバー方法。
【請求項７】
前記第９過程は、
前記移動通信端末が前記同期移動通信システムのパケット制御機にモバイルＩＰを割り当てることを要請することによって、前記パケット制御機が同期移動通信システムのＡＡＡに前記移動通信端末の認証を要求する段階；
前記ＡＡＡで前記移動通信端末の適法性を確認し、その結果を前記同期移動通信システムのパケットデータサービスノードに伝送する段階；
前記移動通信端末が適法であると確認される場合、前記パケットデータサービスノードが前記同期移動通信システムのホームエージェントにモバイルＩＰを割り当てることを要請し、その応答を受信する段階；及び
前記ホームエージェントに割り当てられたモバイルＩＰを前記パケットデータサービスノードが前記移動通信端末に伝送する段階；
を含むことを特徴とする、請求項１に記載のハンドオーバー方法。
【請求項８】
非同期移動通信システムと同期移動通信システムが混在する移動通信網において、非同期モデム部及び同期モデム部を具備するデュアルバンドデュアルモード移動通信端末のパケットデータサービスのためのハンドオーバー方法であって、
前記非同期移動通信システムと接続され、パケットデータサービス利用状態にある前記移動通信端末が前記同期移動通信システム側に移動してハンドオーバーイベントが発生すれば、前記非同期移動通信システムのノードＢが前記非同期移動通信システムのＳＧＳＮ／ＧＧＳＮにハンドオーバーが必要であることを報告する第１過程；
前記ＳＧＳＮ／ＧＧＳＮが前記同期移動通信システムの交換機にハンドオーバーを要請し、前記同期交換機が前記同期移動通信システムの基地局にハンドオーバーを要請する第２過程；
前記同期移動通信システムでパケットデータ伝送のための制御信号とトラフィックの設定過程を行う第３過程；
前記基地局が前記交換機にハンドオーバーが完了したことを報告し、前記移動通信端末に順方向チャンネル割当を行う第４過程；
前記交換機が前記ＳＧＳＮ／ＧＧＳＮにハンドオーバーが完了したことを報告する第５過程；
前記ＳＧＳＮ／ＧＧＳＮが前記ノードＢにハンドオーバーを実行することを命令することによって、前記ノードＢが前記移動通信端末にハンドオーバーを指示する第６過程；
前記移動通信端末と前記同期移動通信システム間に逆方向チャンネルが割り当てられ、接続がなされれば、前記移動通信端末が前記基地局にハンドオーバーを完了したことを報告する第７過程；
前記同期移動通信システムでパケットデータサービスのための呼設定を行う第８過程；
前記基地局が前記同期交換機にハンドオーバーが完了したことを報告し、前記交換機が前記ＳＧＳＮ／ＧＧＳＮにハンドオーバーを完了したことを知らせる第９過程；
前記ＳＧＳＮ／ＧＧＳＮが前記ノードＢに移動通信端末との接続を解除することを要請する第１０過程；
前記移動通信端末が前記同期移動通信システムのパケットデータサービスノードとＰＰＰ設定を行う第１１過程；及び
前記移動通信端末にモバイルＩＰを割り当てる第１２過程；
を含むことを特徴とする、ハンドオーバー方法。
【請求項９】
前記第３過程は、
前記基地局が前記同期移動通信システムのパケット制御機にチャンネル割当を要請する段階；
前記パケット制御機が前記同期移動通信システムのパケットデータサービスノードに位置登録を要請し、その結果を受信する段階；
前記パケットデータサービスノードが前記ＳＧＳＮ／ＧＧＳＮに位置登録を要請し、その応答を受信する段階；及び
前記パケット制御機が前記基地局にチャンネル割当情報を伝送する段階；
を含むことを特徴とする、請求項８に記載のハンドオーバー方法。
【請求項１０】
前記第６過程で、前記ノードＢが前記移動通信端末に伝送するハンドオーバー指示メッセージは、前記同期移動通信システムとのチャンネル割当のための情報を含むことを特徴とする、請求項８に記載のハンドオーバー方法。
【請求項１１】
前記第８過程は、
前記基地局が前記同期移動通信システムのパケット制御機に呼設定を要求する段階；
前記パケット制御機が前記同期移動通信システムのパケットデータサービスノードに位置登録を要請し、その結果を受信する段階；
前記パケットデータサービスノードが前記ＳＧＳＮ／ＧＧＳＮに位置登録を要請し、その応答を受信する段階；及び
前記パケット制御機が前記基地局に呼設定が完了したことを報告する段階；
を含むことを特徴とする、請求項８に記載のハンドオーバー方法。
【請求項１２】
前記第１２過程は、
前記移動通信端末が前記パケットデータサービスノードにモバイルＩＰ割当を要請する段階；
前記パケットデータサービスノードが前記同期移動通信システムのホームエージェントにモバイルＩＰ割当を要請し、その応答を受信する段階；及び
前記パケットデータサービスノードが前記ホームエージェントによって割り当てられたモバイルＩＰを前記移動通信端末に伝送する段階；
を含むことを特徴とする、請求項８に記載のハンドオーバー方法。
【請求項１３】
非同期モデム部及び同期モデム部を具備するデュアルバンドデュアルモード移動通信端末との無線区間通信のための基地局としてのノードＢ；無線網制御機；ＳＧＳＮ（Ｓｅｒｖｉｎｇ  ＧＰＲＳ  Ｓｕｐｐｏｒｔ  Ｎｏｄｅ）；ＧＧＳＮ（Ｇａｔｅｗａｙ  ＧＰＲＳ  Ｓｕｐｐｏｒｔ  Ｎｏｄｅ）；を含む非同期移動通信システムと、前記移動通信端末との無線区間通信を支援する基地局；パケット制御機；パケットデータサービスノード；ホームエージェントを含む同期移動通信システムとが混在しており、前記移動通信端末のパケットデータサービス利用中にハンドオーバーが可能な移動通信システムであって、
前記ホームエージェントはデータコーディング、変造を実行するための階層Ｌ１、メッセージ伝送のための応答を処理するための階層Ｌ２及びＩＰ階層によってＩＰ網と通信し、前記階層Ｌ１、階層Ｌ２及びＩＰトンネリングのための階層によって前記非同期移動通信システム及び前記同期移動通信システムと通信し、
前記ＧＧＳＮのプロトコルスタックは、前記ホームエージェントの階層Ｌ１及びＬ２にそれぞれ対応する階層Ｌ１及びＬ２、前記ホームエージェントのＩＰトンネリング階層に対応してメッセージ交換を実行するためのＵＤＰ／ＩＰ階層、パケットデータと情報流れを定義するためのＧＴＰ（ＧＰＲＳ  Ｔｕｎｎｅｌｉｎｇ  Ｐｒｏｔｏｃｏｌ）−Ｕ階層、データ通信のためのパケットの圧縮、認証、ＩＰ割当などを実行するためのＰＰＰ（Ｐｏｉｎｔ−ｔｏ−Ｐｏｉｎｔ  Ｐｒｏｔｏｃｏｌ）階層を含み、
前記ＳＧＳＮのプロトコルスタックは、前記ＧＧＳＮのＬ１階層に対応するＬ１ｂｉｓ階層、Ｌ２階層に対応してパケットデータの生成、抽出、交換を行うＡＴＭ（Ａｓｙｎｃｈｒｏｎｏｕｓ  Ｔｒａｎｓｆｅｒ  Ｍｏｄｅ）階層、ＵＤＰ／ＩＰ階層及びＧＴＰ−Ｕ階層を含み、
前記ノードＢ／無線網制御機のプロトコルスタックは、前記ＳＧＳＮのＬ１ｂｉｓ階層に対応するＬ１階層、ＡＴＭ階層に対応してマルチメディアデータ処理のための無線資源割当を行うＭＡＣ（Ｍｅｄｉａ  Ａｃｃｅｓｓ  Ｃｏｎｔｒｏｌ）階層、ＵＤＰ／ＩＰ階層に対応して移動通信端末と無線リンク設定を実行し、パケットデータの組合せ、分割を実行するためのＲＬＣ（Ｒａｄｉｏ  Ｌｉｎｋ  Ｃｏｎｔｒｏｌ）階層、ＧＴＰ−Ｕ階層に対応してパケットデータヘッダーの圧縮を実行するためのＰＤＣＰ（Ｐａｃｋｅｔ  Ｄａｔａ  Ｃｏｎｖｅｒｇｅｎｃｅ  Ｐｒｏｔｏｃｏｌ）階層を含み、
前記移動通信端末の非同期モデム部は、前記ノードＢ／無線網制御機の前記ＭＡＣ／ＲＬＣ／ＰＤＣＰ階層に対応してリンクの接続と解除のためのリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層、前記ＧＧＳＮのＰＰＰ階層によるデータを受信するＰＰＰ階層を含むプロトコルスタックによってデータ通信を行うことを特徴とする、移動通信システム。
【請求項１４】
非同期モデム部及び同期モデム部を具備するデュアルバンドデュアルモード移動通信端末との無線区間通信のための基地局としてのノードＢ；無線網制御機；ＳＧＳＮ（Ｓｅｒｖｉｎｇ  ＧＰＲＳ  Ｓｕｐｐｏｒｔ  Ｎｏｄｅ）；ＧＧＳＮ（Ｇａｔｅｗａｙ  ＧＰＲＳ  Ｓｕｐｐｏｒｔ  Ｎｏｄｅ）；を含む非同期移動通信システムと、前記移動通信端末との無線区間通信を支援する基地局；パケット制御機；パケットデータサービスノード；ホームエージェントを含む同期移動通信システムとが混在しており、前記移動通信端末のパケットデータサービス利用中にハンドオーバーが可能な移動通信システムであって、
前記ホームエージェントはデータコーディング、変造を実行するための階層Ｌ１、メッセージ伝送のための応答を処理するための階層Ｌ２及びＩＰ階層によってＩＰ網と通信し、前記階層Ｌ１、階層Ｌ２及びＩＰトンネリングのための階層によって前記非同期移動通信システム及び前記同期移動通信システムと通信し、
前記ＧＧＳＮのプロトコルスタックは、前記ホームエージェントの階層Ｌ１及びＬ２にそれぞれ対応する階層Ｌ１及びＬ２、前記ホームエージェントのＩＰトンネリング階層に対応してメッセージ交換を実行するためのＵＤＰ／ＩＰ階層、パケットデータと情報流れを定義するためのＧＴＰ（ＧＰＲＳ  Ｔｕｎｎｅｌｉｎｇ  Ｐｒｏｔｏｃｏｌ）−Ｕ階層を含み、
前記ＳＧＳＮのプロトコルスタックは、前記ＧＧＳＮのＬ１階層に対応するＬ１ｂｉｓ階層、Ｌ２階層に対応してパケットデータの生成、抽出、交換を行うＡＴＭ（Ａｓｙｎｃｈｒｏｎｏｕｓ  Ｔｒａｎｓｆｅｒ  Ｍｏｄｅ）階層、ＵＤＰ／ＩＰ階層及びＧＴＰ−Ｕ階層を含み、
前記ノードＢ／無線網制御機のプロトコルスタックは、前記ＳＧＳＮのＬ１ｂｉｓ階層に対応するＬ１階層、ＡＴＭ階層に対応してマルチメディアデータ処理のための無線資源割当を行うＭＡＣ（Ｍｅｄｉａ  Ａｃｃｅｓｓ  Ｃｏｎｔｒｏｌ）階層、ＵＤＰ／ＩＰ階層に対応して移動通信端末と無線リンク設定を実行し、パケットデータの組合せ、分割を実行するためのＲＬＣ（Ｒａｄｉｏ  Ｌｉｎｋ  Ｃｏｎｔｒｏｌ）階層、ＧＴＰ−Ｕ階層に対応してパケットデータヘッダーの圧縮を実行するためのＰＤＣＰ（Ｐａｃｋｅｔ  Ｄａｔａ  Ｃｏｎｖｅｒｇｅｎｃｅ  Ｐｒｏｔｏｃｏｌ）階層を含み、
前記移動通信端末の非同期モデム部は、前記ノードＢ／無線網制御機の前記ＭＡＣ／ＲＬＣ／ＰＤＣＰ階層に対応してリンクの接続と解除のためのリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層を含むプロトコルスタックによってデータ通信を行うことを特徴とする、移動通信システム。
【請求項１５】
前記ホームエージェントと接続されるパケットデータサービスノードのプロトコルスタックは、前記階層Ｌ１及びＬ２にそれぞれ対応する階層Ｌ１及びＬ２、前記ＩＰトンネリング階層に対応してメッセージ交換を行うＵＤＰ／ＩＰ階層、パケット暗号化、圧縮を実行するためのＧＲＥ（Ｇｅｎｅｒｉｃ  Ｒｏｕｔｉｎｇ  Ｅｎｃａｐｓｕｌａｔｉｏｎ）階層、データ通信のためのパケットの圧縮、認証、ＩＰ割当などを実行するためのＰＰＰ（Ｐｏｉｎｔ−ｔｏ−Ｐｏｉｎｔ  Ｐｒｏｔｏｃｏｌ）階層を含み、
前記パケット制御機のプロトコルスタックは、前記パケットデータサービスノードの階層Ｌ１に対応するＬ１ｂｉｓ階層、Ｌ２階層に対応してパケットデータの生成、抽出、交換などを行うＡＴＭ（Ａｓｙｎｃｈｒｏｎｏｕｓ  Ｔｒａｎｓｆｅｒ  Ｍｏｄｅ）階層、ＵＤＰ／ＩＰ階層及びＧＲＥ階層を含み、
前記基地局のプロトコルスタックは、前記パケット制御機のＬ１ｂｉｓ階層に対応するＬ１階層、前記ＡＴＭ階層に対応してマルチメディアデータ処理のための無線資源割当などを行うＭＡＣ（Ｍｅｄｉａ  Ａｃｃｅｓｓ  Ｃｏｎｔｒｏｌ）階層、ＵＤＰ／ＩＰ階層に対応して無線区間で発生するエラーを防止するために、エラーが発生したフレームの再伝送を要求するためのＲＬＰ（Ｒａｄｉｏ  Ｌｉｎｋ  Ｐｒｏｔｏｃｏｌ）階層を含み、
前記移動通信端末の同期モデム部は、Ｌ１階層、前記ＭＡＣ／ＲＬＰ階層に対応してリンクの接続と解除のためのリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層、前記ＧＧＳＮのＰＰＰ階層によるデータを受信するＰＰＰ階層を含むプロトコルスタックによってデータ通信を実行し、
前記移動通信端末の共通モジュールは、前記非同期モデム部及び前記同期モデム部で受信したデータのプロトコル変換のために、Ｌ１階層、ＰＰＰ階層、ＩＰ階層、伝送（Ｔｒａｎｓｐｏｒｔ）階層、応用（Ａｐｐｌｉｃａｔｉｏｎ）階層を通じてデータ通信を行うことを特徴とする、請求項１３に記載の移動通信システム。
【請求項１６】
前記ホームエージェントと接続されるパケットデータサービスノードのプロトコルスタックは前記階層Ｌ１及びＬ２にそれぞれ対応する階層Ｌ１及びＬ２、前記ＩＰトンネリング階層に対応してメッセージ交換を行うＵＤＰ／ＩＰ階層、パケット暗号化、圧縮を実行するためのＧＲＥ（Ｇｅｎｅｒｉｃ  Ｒｏｕｔｉｎｇ  Ｅｎｃａｐｓｕｌａｔｉｏｎ）階層、データ通信のためのパケットの圧縮、認証、ＩＰ割当などを実行するためのＰＰＰ（Ｐｏｉｎｔ−ｔｏ−Ｐｏｉｎｔ  Ｐｒｏｔｏｃｏｌ）階層を含み、
前記パケット制御機のプロトコルスタックは、前記パケットデータサービスノードの階層Ｌ１に対応するＬ１ｂｉｓ階層、Ｌ２階層に対応してパケットデータの生成、抽出、交換などを行うＡＴＭ（Ａｓｙｎｃｈｒｏｎｏｕｓ  Ｔｒａｎｓｆｅｒ  Ｍｏｄｅ）階層、ＵＤＰ／ＩＰ階層及びＧＲＥ階層を含み、
前記基地局のプロトコルスタックは、前記パケット制御機のＬ１ｂｉｓ階層に対応するＬ１階層、前記ＡＴＭ階層に対応してマルチメディアデータ処理のための無線資源割当などを行うＭＡＣ（Ｍｅｄｉａ  Ａｃｃｅｓｓ  Ｃｏｎｔｒｏｌ）階層、ＵＤＰ／ＩＰ階層に対応して無線区間で発生するエラーを防止するために、エラーが発生したフレームの再伝送を要求するためのＲＬＰ（ＲａｄｉｏＬｉｎｋＰｒｏｔｏｃｏｌ）階層を含み、
前記移動通信端末の同期モデム部は、Ｌ１階層、前記ＭＡＣ／ＲＬＰ階層に対応してリンクの接続と解除のためのリンク管理、同期化問題、流れ制御、エラー制御を実行するためのＨＤＬＣ（Ｈｉｇｈ−ｌｅｖｅｌ  Ｄａｔａ  Ｌｉｎｋ  Ｃｏｎｔｒｏｌ）フレーミング階層、前記ＧＧＳＮのＰＰＰ階層によるデータを受信するＰＰＰ階層を含むプロトコルスタックによってデータ通信を実行し、
前記移動通信端末の共通モジュールは、前記非同期モデム部及び前記同期モデム部で受信したデータのプロトコル変換のために、Ｌ１階層、ＰＰＰ階層、ＩＰ階層、伝送（Ｔｒａｎｓｐｏｒｔ）階層、応用（Ａｐｐｌｉｃａｔｉｏｎ）階層を通じてデータ通信を行うことを特徴とする、請求項１４に記載の移動通信システム。
【発明の詳細な説明】
【技術分野】
【０００１】
本発明は移動通信網におけるハンドオーバー方法に係り、より詳しくは非同期網と同期網が混在する移動通信網において、パケットデータサービスの利用中又はドーマント状態の移動通信端末のハンドオーバーを可能にする移動通信システム及びハンドオーバー方法に関するものである。
【背景技術】
【０００２】
移動通信技術の発展につれて、移動通信網は世代を繰り返えして変化しており、現在は２世代又は２．５世代網と呼ばれる同期移動通信システム（ＣＤＭＡ移動通信システム）と３世代網と呼ばれる非同期移動通信システム（ＷＣＤＭＡ移動通信システム）が共存している形態を取っている。
【０００３】
また、移動通信システム間グローバルローミングを支援するために、同期方式のシステムと非同期方式のシステムで共に使用可能な移動通信端末（Ｄｕａｌ  Ｂａｎｄ  Ｄｕａｌ  Ｍｏｄｅ  Ｔｅｒｍｉｎａｌ；ＤＢＤＭ移動通信端末）が開発されており、このような移動通信端末を利用することにより、非同期方式システム領域及び同期方式システム領域のそれぞれで相違なる方式のサービスを利用することができる。
【０００４】
現在、非同期移動通信システムはサービス要求が多い地域を中心として構築されており、これにより、同期方式の移動通信システムはそのサービス領域が非同期方式システムのサービス領域を含む形態に進化している。ところが、非同期移動通信システムは未だサービス初期段階にあり、システム具現に莫大な投資額が必要であるから、広い地域をサービスすることができなくて同期移動通信システム領域に重畳する形態に具現されている。
【０００５】
これにより、非同期移動通信システムのサービス領域が制限されるため、非同期移動通信システム加入者が非同期領域でパケットデータサービスを利用しているうちに非同期移動通信サービスの提供されない同期領域に移動する場合、サービスが断絶される問題点がある。
【０００６】
このように、非同期移動通信システムと同期移動通信システムが共存しており、非同期移動通信システム領域が同期移動通信システム領域より小さな場合、非同期及び同期移動通信システム間の連続的なパケットデータサービスを提供するためのハンドオーバーが必要になる。
【発明の開示】
【０００７】
本発明は前述した問題点を解決するためになされたもので、非同期網でパケットデータサービスを利用している移動通信端末が同期網に移動する場合、連続的なパケットデータサービスを提供することにより、サービス断絶現象を防止することができる移動通信システム及びハンドオーバー方法を提供することにその技術的課題がある。
【発明を実施するための最良の形態】
【０００８】
前述した技術的課題を達成するための本発明は、非同期移動通信システムと同期移動通信システムが混在する移動通信網において、非同期モデム部及び同期モデム部を具備するデュアルバンドデュアルモード移動通信端末のパケットデータサービスのためのハンドオーバー方法であって、前記非同期移動通信システムとドーマント状態にある前記移動通信端末が前記同期移動通信システム側に移動すれば、前記非同期移動通信システムのＳＧＳＮ／ＧＧＳＮがハンドオーバーの必要性を受信する第１過程；前記ＳＧＳＮ／ＧＧＳＮが前記同期移動通信システムの基地局にハンドオーバーを実行することを命令する第２過程；前記移動通信端末が前記基地局に発信を試みて、前記基地局と同期移動通信システムの交換期間に呼処理及びチャンネル割当を行う第３過程；前記移動通信端末と前記基地局間に呼処理設定関連交渉を行う第４過程；前記同期移動通信システムでトランク設定を行う第５過程；前記移動通信端末と前記基地局間の無線リンクプロトコルを初期化する第６過程；前記基地局が前記交換機にチャンネル割当が完了したことを報告する第７過程；前記移動通信端末と前記同期移動通信システムのパケットデータサービスノード間にパケットデータ呼を設定する第８過程；及び前記同期移動通信システムから前記移動通信端末にモバイルＩＰを割り当てる第９過程；を含む。
【０００９】
また、前記非同期移動通信システムと接続され、パケットデータサービス利用状態にある前記移動通信端末が前記同期移動通信システム側に移動してハンドオーバーイベントが発生すれば、前記非同期移動通信システムのノードＢが前記非同期移動通信システムのＳＧＳＮ／ＧＧＳＮにハンドオーバーが必要であることを報告する第１過程；前記ＳＧＳＮ／ＧＧＳＮが前記同期移動通信システムの交換機にハンドオーバーを要請し、前記同期交換機が前記同期移動通信システムの基地局にハンドオーバーを要請する第２過程；前記同期移動通信システムでパケットデータ伝送のための制御信号とトラフィックの設定過程を行う第３過程；
前記基地局が前記交換機にハンドオーバーが完了したことを報告し、前記移動通信端末に順方向チャンネル割当を行う第４過程；前記交換機が前記ＳＧＳＮ／ＧＧＳＮにハンドオーバーが完了したことを報告する第５過程；前記ＳＧＳＮ／ＧＧＳＮが前記ノードＢにハンドオーバーを実行することを命令することによって、前記ノードＢが前記移動通信端末にハンドオーバーを指示する第６過程；前記移動通信端末と前記同期移動通信システム間に逆方向チャンネルが割り当てられ、接続がなされれば、前記移動通信端末が前記基地局にハンドオーバーを完了したことを報告する第７過程；前記同期移動通信システムでパケットデータサービスのための呼設定を行う第８過程；前記基地局が前記同期交換機にハンドオーバーが完了したことを報告し、前記交換機が前記ＳＧＳＮ／ＧＧＳＮにハンドオーバーを完了したことを知らせる第９過程；前記ＳＧＳＮ／ＧＧＳＮが前記ノードＢに移動通信端末との接続を解除することを要請する第１０過程；前記移動通信端末が前記同期移動通信システムのパケットデータサービスノードとＰＰＰ設定を行う第１１過程；及び前記移動通信端末にモバイルＩＰを割り当てる第１２過程；を含む。
【００１０】
以下、添付図面に基づいて本発明の好適な実施例をより詳細に説明する。
図１は本発明が適用される移動通信網の構成図であって、パケットデータサービスを提供するための構成要素を主として示す。
【００１１】
本発明に適用される移動通信端末１０はデュアルバンドデュアルモード（以下、'ＤＢＤＭ'という）移動通信端末で、非同期移動通信サービスと同期移動通信サービスを同時に提供可能な形態であり、非同期移動通信システム２０及び同期移動通信システム３０と選択的に無線で接続して音声及びデータサービスを利用することができる。その具体的な説明は図２及び図３を参照して後述する。
【００１２】
非同期移動通信システム２０は、移動通信端末１０との無線区間通信のための基地局としてのノードＢ２１０、ノードＢ２１０の制御のための無線網制御機（ＲＮＣ）２２０、無線網制御機２２０と連結され、移動通信端末１０へ音声サービスを提供するための呼交換を行う非同期交換機（ＭＳＣ）２３０、無線網制御機２２０とＧＰＲＳ（Ｇｅｎｅｒａｌ  Ｐａｃｋｅｔ  Ｒａｄｉｏ  Ｓｅｒｖｉｃｅ）網２５０との間に連結され、移動通信端末１０の位置トラックを維持し、アクセス制御及び保安機能を行うＳＧＳＮ（Ｓｅｒｖｉｎｇ  ＧＰＲＳ  Ｓｕｐｐｏｒｔ  Ｎｏｄｅ）２４０、及びＳＧＳＮ２４０とＧＰＲＳ（Ｇｅｎｅｒａｌ  Ｐａｃｋｅｔ  Ｒａｄｉｏ  Ｓｅｒｖｉｃｅ）網２５０を介して連結され、ＩＰ網４０に接続して外部パケットとの連動を支援するＧＧＳＮ（Ｇａｔｅｗａｙ  ＧＰＲＳ  Ｓｕｐｐｏｒｔ  Ｎｏｄｅ）２６０を含む。
【００１３】
また、同期移動通信システム３０は、移動通信端末１０との無線区間通信を支援する基地局３１０、基地局３１０を制御するための基地局制御機（ＢＳＣ）及びパケットデータサービスのための無線資源管理などパケットデータサービスの提供時、基地局制御機（ＢＳＣ）と類似の役目をするパケット制御機（Ｐａｃｋｅｔ  Ｃｏｎｔｒｏｌ  Ｆｕｎｃｔｉｏｎ；ＰＣＦ）３２０、一つ以上の基地局制御機と連結され、呼交換を実行するための交換機（ＭＳＣ）３３０、パケット制御機３２０と接続し、移動通信端末１０とＰＰＰセッションを設定し、外部ノードとの接続を実行し、移動通信端末１０の位置登録のための外部エージェント（Ｆｏｒｅｉｇｎ  Ａｇｅｎｔ；ＦＡ）機能をして加入者にパケットデータサービスを提供するためのパケットデータサービスノード（ＰＤＳＮ）３４０、パケットデータサービスノード３４０とＩＰ網４０間の接続を支援するためのデータコア網（ＤＣＮ、図示せず）、移動通信端末１０の認証を実行し、パケットデータを外部エージェントに伝達するためのホームエージェント（Ｈｏｍｅ  Ａｇｅｎｔ）３５０、及び移動通信端末の認証（Ａｕｔｈｅｎｔｉｃａｔｉｏｎ）、権限付与（Ａｕｔｈｏｒｉｚａｔｉｏｎ）及び課金（Ａｃｃｏｕｎｔ）機能をするＡＡＡ３６０を含んで構成される。
【００１４】
図示しなかったが、非同期移動通信システム２０及び同期移動通信システム３０の交換機２３０、３３０はＮｏ．７共通信号網によって相互に接続され、移動通信端末１０のハンドオーバーなどに必要な情報を送受信することになる。
【００１５】
このような移動通信システムにおいて、本発明の移動通信端末１０は、非同期移動通信システム２０と同期移動通信システム３０に選択的に接続して、二つのシステムの信号処理状況を伝送し処理する。
【００１６】
図２は本発明に適用される移動通信端末の一例示図で、非同期網及び同期網との無線通信のための機能部を独立して具現した場合を示す。
図示のように、本発明に適用されるＤＢＤＭ移動通信端末１０は、アンテナ１１０、非同期移動通信サービスのためのモジュール１２０、同期移動通信サービスのためのモジュール１３０、及び共通モジュール１４０を含んで構成される。
【００１７】
アンテナ１１０は、同期移動通信サービスのための周波数帯域と非同期移動通信サービスのための周波数帯域を同時に処理することが可能である。
非同期モジュール１２０は、それぞれの周波数を区分して処理するバンドパスフィルターとして動作するデュプレクサ１２１、送受信電波を決まった周波数帯域に分離する非同期無線送受信部１２２、及び非同期移動通信システムとの無線区間プロトコルを処理する非同期モデム部１２３を含み、同期モジュール１３０は、それぞれの周波数を区分して処理するバンドパスフィルターとして動作するデュプレクサ１３１、送受信電波を決まった周波数帯域に分離する同期無線送受信部１３２、及び同期移動通信システムとの無線区間プロトコルを処理する同期モデム部１３３を含む。
【００１８】
共通モジュール１４０は非同期モデム部１２３及び同期モデム部１３３を制御するための中央処理装置として動作し、マルチメディア機能を行うアプリケーションプロセッサ、メモリ、入出力部、その他の応用処理部などを含む。
【００１９】
また、ＤＢＤＭ移動通信端末１０には、使用者インターフェース、付加サービス、移動性管理、接続／セッション制御、リソース制御、プロトコル処理のためのソフトウェアが搭載されることにより、使用者が各種応用サービスを利用することができるようにし、ハンドオーバーを実行し、移動通信システムに合うようにプロトコル変換を行う。
【００２０】
本実施例による移動通信端末において、共通モジュール１４０によって非同期モジュール１２０の非同期モデム部１２３及び同期モジュール１３０の同期モデム部１３３の制御を行うことも可能であり、非同期モデム部１２３及び同期モデム部１３３のいずれか一つのモデム部が全体移動通信端末の制御を実行することも可能である。
【００２１】
図３は本発明に適用される移動通信端末のほかの例示図で、非同期網及び同期網との無線通信のための機能部が一体型に具現された場合を示す。
図示のように、本発明に適用されるＤＢＤＭ移動通信端末１０は、アンテナ１５０、デュプレクサ１６０、マルチバンド無線送受信部１７０、マルチモードモデム部１８０、及びその他の処理モジュール１９０を含んで構成される。
【００２２】
アンテナ１５０は、同期移動通信サービスのための周波数帯域と非同期移動通信サービスのための周波数帯域を同時に処理することが可能である。
デュプレクサ１６０は非同期網からの周波数及び同期網からの周波数をそれぞれ区分して処理するバンドパスフィルターとして動作し、マルチバンド無線送受信部１７０は送受信電波を決まった周波数帯域に分離し、マルチモードモデム部１８０は非同期移動通信システム又は同期移動通信システムとの無線区間プロトコルを処理する。
【００２３】
その他の処理モジュール１９０はマルチモードモデム部１８０を制御するための中央処理装置として動作し、マルチメディア機能を行うアプリケーションプロセッサ、メモリ、入出力部、その他の応用処理部などを含む。
【００２４】
また、ＤＢＤＭ移動通信端末１０には、使用者インターフェース、付加サービス、移動性管理、接続／セッション制御、リソース制御、プロトコル処理のためのソフトウェアが搭載されることにより、使用者が各種応用サービスを利用することができるようにし、ハンドオーバーを実行し、移動通信システムに合うようにプロトコル変換を行う。
【００２５】
このように、無線送受信部及びモデム部を一体化して具現する場合、移動通信端末１０の大きさを縮小することができ、電力消耗を減少させることができ、モデムメモリを共有することができるなどの利点を得ることができる。
【００２６】
図４Ａ及び４Ｂは非同期網と同期網が混在する移動通信網におけるパケットデータサービスのためのハンドオーバー概念図である。
一つの移動通信システムにおいて、ハンドオーバー（又はハンドオフ）は、移動通信端末が移動通信システムの一セルから他のセルに移動する場合、使用者が通話の断絶なしに通信することができるようにする技術を意味するが、本発明は同期移動通信システムと非同期移動通信システムが混在する網において、ＤＢＤＭ移動通信端末のハンドオーバー方法であって、移動通信端末１０が同期領域Ｂから非同期領域Ａに移動した場合と、移動通信端末１０が非同期領域Ａから同期領域Ｂに移動した場合のうち、後者に限定して説明することにする。
【００２７】
まず、図４Ａを参照すれば、非同期領域Ａにおいて、移動通信端末は、ノードＢ２１０とのセッションが設定され、モバイルＩＰが割り当てられており、データ信号が発生すれば、ＳＧＳＮ２４０、ＧＧＳＮ２６０を介してＩＰ網４０に接続して、ＣＰサーバー５０から提供するパケットデータサービスを利用することができるドーマント状態にある。
【００２８】
このような移動通信端末１０が非同期領域Ａと同期領域Ｂの重畳領域Ｃを通して次第に同期領域Ｂに接近すれば、非同期移動通信システムのノードＢ２１０と移動通信端末１０間の送受信電力が徐々に減殺され、電力減殺を感知した非同期移動通信システム又は移動通信端末の接近を感知した同期移動通信システムは非同期移動通信システムのＳＧＳＮ２４０／ＧＧＳＮ２６０にハンドオーバーの必要性を報告する。
【００２９】
これにより、ＳＧＳＮ２４０／ＧＧＳＮ２６０が同期移動通信システムの基地局３１０にハンドオーバーを命令することで、移動通信端末と同期移動通信システム間の呼設定及びトランク設定がなされる。その後、図４Ｂに示すように、ＰＤＳＮ３４０から移動通信端末にモバイルＩＰを割り当てることで、移動通信端末が同期移動通信システムでドーマント状態を維持することになる。
【００３０】
結果的に、同期移動通信システム領域Ｂにハンドオーバーした移動通信端末は、非同期移動通信システムとの接続を全く解除し、同期移動通信システムでドーマント状態を維持し、以後、データ信号が発生する場合、直ちにパケットデータサービスを利用することができる活性化状態に遷移することになる。
【００３１】
図５Ａ及び５Ｂは非同期網と同期網が混在する移動通信網においてパケットデータサービスを利用している状態にある移動通信端末のハンドオーバー概念図である。
まず、図５Ａを参照すれば、非同期領域Ａで、移動通信端末は、ノードＢ２１０とのセッションが設定され、モバイルＩＰが割り当てられており、データ信号が発生すれば、ＳＧＳＮ２４０、ＧＧＳＮ２６０を介してＩＰ網４０に接続して、ＣＰサーバー５０から提供するパケットデータサービスを利用することができるドーマント状態にあるか、あるいはノードＢ２１０、ＳＧＳＮ２４０、ＧＧＳＮ２６０を介してＩＰ網４０に接続して、ＣＰサーバー５０から提供するパケットデータサービスを利用している状態にある。以後、移動通信端末１０が非同期領域Ａと同期領域Ｂ間の重畳領域Ｃを通して次第に同期領域Ｂに接近すれば、非同期移動通信システムのノードＢ２１０と移動通信端末１０間の送受信電力が徐々に減殺することになり、電力減殺を感知した非同期移動通信システムは、同期移動通信システムにハンドオーバーを要請し、これを受信した同期移動通信システムは、移動通信端末１０にパケットデータサービスのためのチャンネル割当を実行する。
【００３２】
同期移動通信システムと移動通信端末１０間のチャンネル割当が完了すれば、非同期移動通信システムは、移動通信端末にハンドオーバーを指示して、同期移動通信システムにハンドオーバーがなされるようにし、移動通信端末が同期移動通信システムへの接続を完了すれば、同期移動通信システムは、非同期移動通信システムにハンドオーバーが完了したことを知らせ、これにより、非同期移動通信システムのノードＢ２１０は移動通信端末１０との接続を解除する。そして、移動通信端末は、同期移動通信システムのＰＤＳＮ、ＨＡを通じて新しいモバイルＩＰの割当を受けてパケットデータサービスを続けて利用することになる。
【００３３】
結果的に、図５Ｂを参照すれば、同期移動通信システム領域Ｂにハンドオーバーした移動通信端末は、非同期移動通信システムとの接続を全く解除し、ＢＴＳ３１０、ＰＣＦ３２０、ＰＤＳＮ３４０を通じ、そしてＩＰ網４０を経由して、ＣＰサーバー５０から提供されるパケットデータサービスを続けて利用することができる。
【００３４】
図６は本発明の一実施例によるドーマント状態での移動通信端末のハンドオーバー方法を説明するためのフローチャートである。
非同期網でドーマント状態にある移動通信端末１０が同期網領域に移動すれば、非同期網のノードＢ２１０は、移動通信端末１０との送受信電力減殺を認知してハンドオーバーが必要であると判断し、これをＳＧＳＮ２４０／ＧＧＳＮ２６０に報告することで、移動通信端末機が非同期領域から離脱したことを知らせる（ＳＲＮＳ  Ｒｅｌｏｃａｔｉｏｎ  Ｒｅｑｕｉｒｅｄ）（Ｓ１０１）。この時、移動通信端末１０の識別番号を共に伝送する。また、ＳＧＳＮ２４０／ＧＧＳＮ２６０にハンドオーバーの必要性を報告する段階（Ｓ１０１）は、移動通信端末の接近を感知した同期移動通信システムの基地局（ＢＴＳ）３１０で行うことも可能である。
【００３５】
ハンドオーバーが必要であるという報告を受けたＳＧＳＮ２４０／ＧＧＳＮ２６０は、同期網の基地局（ＢＴＳ）３１０にハンドオーバーを実行することを命令する（ＳＲＳＮ  Ｒｅｌｏｃａｔｉｏｎ  Ｃｏｍｍａｎｄ）（Ｓ１０２）。また、ノードＢ２１０は移動通信端末にハンドオーバーを指示する（ＨＡＮＤＯＶＥＲ  ＦＲＯＭ  ＵＴＲＡＮ  ＣＭＤ）（Ｓ１０３）。このメッセージには同期移動通信システム関連メッセージが含まれ、特にチャンネル割当、トラフィックチャンネル進入などと関連した情報が含まれることになる。
【００３６】
以後、移動通信端末は、ＯＲＭ（Ｏｒｉｇｉｎａｔｉｏｎ  Ｍｅｓｓａｇｅ）を利用して基地局（ＢＴＳ）３１０に発信を試み（ＯＲＭ［ＤＲＳ＝１］）（Ｓ１０４）、これにより、基地局３１０と交換機３３０間に呼処理及びチャンネル割当が行われることになる。より具体的に説明すれば、移動通信端末の発信試みによって、基地局３１０は交換機にサービス要請メッセージを伝送し（ＣＭ  Ｓｅｒｖ．  Ｒｅｑ．）（Ｓ１０５）、交換機３３０は基地局３１０にチャンネル割当を要請し（Ａｓｓｉｇｎ．  Ｒｅｑ．）（Ｓ１０６）、これを受信した基地局３１０が移動通信端末にチャンネル割当メッセージを伝送する（ＥＣＡＭ；Ｅｘｔｅｎｄｅｄ  Ｃｈａｎｎｅｌ  Ａｓｓｉｇｎｍｅｎｔ  Ｍｅｓｓａｇｅ）（Ｓ１０７）。
【００３７】
ついで、移動通信端末（同期モジュール）と同期移動通信システムの基地局３１０間に呼処理設定関連交渉（ｎｅｇｏｔｉａｔｅ  ａｎｄ  ｃｏｎｎｅｃｔ  ｓｅｒｖｉｃｅ）がなされ（Ｓ１０８）、トランク設定過程が実行される。トランク設定過程はＡ−インターフェースによって実行することができる。より具体的に説明すれば、基地局３１０がパケット制御機（ＰＣＦ）３２０にトランク設定を要請すれば（Ａ９  Ｓｅｔｕｐ−Ａ８）（Ｓ１０９）、パケット制御機３２０がパケットデータサービスノード（ＰＤＳＮ）３４０にトランク設定を要請し、その応答を受信し（Ａ１１  ＲＲＱ、Ａ１１  ＲＲＰ）（Ｓ１１０、Ｓ１１１）、パケットデータサービスノード３４０の応答信号をパケット制御機３２０が基地局３１０に伝送する（Ａ９  Ｃｏｎｎｅｃｔ−Ａ８）（Ｓ１１２）。
【００３８】
このように、トランク設定が完了すれば、移動通信端末と基地局３１０間で無線リンクプロトコル（Ｒａｄｉｏ  Ｌｉｎｋ  Ｐｒｏｔｏｃｏｌ；ＲＬＰ）の初期化が実行され（ＲＬＰ  Ｉｎｉｔｉａｌｉｚａｔｉｏｎ）（Ｓ１１３）、基地局３１０は交換機３３０にチャンネル割当が完了したことを報告する（Ａｓｓｉｇｎｍｅｎｔ  Ｃｏｍｐｌｅｔｅ）（Ｓ１１４）。ついで、移動通信端末とＰＤＳＮ３４０間にＰＰＰ設定がなされることにより（ＰＰＰ  Ｅｓｔａｂｌｉｓｈｍｅｎｔ）（Ｓ１１５）、新しいパケットデータ号を設定した後、モバイルＩＰ割当過程を実行する。
【００３９】
モバイルＩＰ割当過程をより詳細に説明すれば、移動通信端末がパケット制御機３２０にモバイルＩＰを割り当てることを要請し（ＭＩＰ  ｒｅｇｉｓｔｒａｔｉｏｎ  ｒｅｑｕｅｓｔ）（Ｓ１１６）、これにより、パケット制御機３２０がＡＡＡ３６０に移動通信端末の認証を要求する（Ａｃｃｅｓｓ  Ｒｅｑｕｅｓｔ）（Ｓ１１７）。
【００４０】
これにより、ＡＡＡ３６０で移動通信端末の適法性を確認し、その結果をＰＤＳＮ３４０に伝送し（Ａｃｃｅｓｓ  Ｒｅｐｌｙ）（Ｓ１１８）、ＡＡＡ３６０から受信した適法性確認の結果、移動通信端末が接続可能な端末の場合、ＰＤＳＮ３４０はホームエージェント３５０にモバイルＩＰを割り当てることを要請した後、その応答を受信する（ＭＩＰＲＲＱ／ＲＲＰ）（Ｓ１１９、Ｓ１２０）。このようにして、モバイルＩＰが割り当てられれば、これを移動通信端末に伝送する（ＭＩＰ  ｒｅｇｉｓｔｒａｔｉｏｎ  ｒｅｐｌｙ）（Ｓ１２１）。
【００４１】
これにより、移動通信端末は、非同期移動通信システム２０との接続を全く解除し、同期移動通信システムで新しいモバイルＩＰの割当を受けてドーマント状態を維持することになる。
【００４２】
図７は本発明の一実施例によるパケットデータサービス利用中の移動通信端末のハンドオーバー方法を説明するためのフローチャートである。
非同期網でパケットデータサービスを利用している移動通信端末１０が同期網領域に移動すれば、非同期網のノードＢ２１０は、移動通信端末１０との送受信電力減殺によって、ハンドオーバーが必要であると判断し、これをＳＧＳＮ２４０／ＧＧＳＮ２６０に報告する（ＳＲＮＳ  Ｒｅｌｏｃａｔｉｏｎ  Ｒｅｑｕｉｒｅｄ）（Ｓ２０１）。この時、移動通信端末１０の識別番号を共に伝送し、ＳＧＳＮ２４０／ＧＧＳＮ２６０は、同期網の交換機（ＭＳＣ）３３０にハンドオーバーを要請する（ＦＡＣＤＩＲ２、Ｓ２０２）。
【００４３】
これにより、交換機３３０は基地局（ＢＴＳ）３１０にハンドオーバーを要請し（Ｈａｎｄｏｆｆ  Ｒｅｑｕｅｓｔ）、基地局（ＢＴＳ）３１０は、同期網でパケットデータ伝送のための制御信号とトラフィック設定の過程を実行することになる。このために、まず、基地局（ＢＴＳ）３１０はパケット制御機（ＰＣＦ）３２０にチャンネル割当を要請し（Ａ９−ｓｅｔｕｐ）（Ｓ２０４）、これにより、パケット制御機（ＰＣＦ）３２０がパケットデータサービスノード／外部エージェント（ＰＤＳＮ／ＦＡ）３４０に位置登録を要請し、その結果を受信し（Ａ１１−Ｒｅｇ．  Ｒｅｑ／ｒｅｐｌｙ）（Ｓ２０５）、ＰＤＳＮ／ＦＡ３４０がＳＧＳＮ２４０／ＧＧＳＮ２６０に位置登録を要請し、その応答を受信した後（Ｒｅｇｉｓｔｒａｔｉｏｎ  ｒｅｑ／ｒｅｐｌｙ）（Ｓ２０６）、基地局（ＢＴＳ）３１０にチャンネル割当情報を伝送する（Ａ９−ｃｏｎｎｅｃｔ）（Ｓ２０７）。
【００４４】
このように、チャンネル割当が完了すれば、基地局（ＢＴＳ）３１０は交換機（ＭＳＣ）３３０にハンドオーバーが完了したことを報告し（Ｈａｎｄｏｆｆ  Ｒｅｑ．  Ａｃｋ）（Ｓ２０８）、移動通信端末に順方向トラフィック伝送のための順方向基本チャンネル（Ｆｏｒｗａｒｄ  Ｆｕｎｄａｍｅｎｔａｌ  Ｃｈａｎｎｅｌ；Ｆ−ＦＣＨ）を通じてナル（ＮＵＬＬ）フレームを伝送することで（Ｆ−ＦＣＨｆｒａｍｅｓ）（Ｓ２０９）、順方向チャンネルを割り当てることになる。
【００４５】
また、ハンドオーバーが完了したという報告を受けた交換機（ＭＳＣ）３３０はＳＧＳＮ２４０／ＧＧＳＮ２６０にハンドオーバーが完了したことを報告し（ｆａｃｄｉｒ２）（Ｓ２１０）、これを受信したＳＧＳＮ２４０／ＧＧＳＮ２６０はノードＢ２１０にハンドオーバーを実行することを命令する（ＳＲＳＮ  Ｒｅｌｏｃａｔｉｏｎ  Ｃｏｍｍａｎｄ）（Ｓ２１１）。
【００４６】
以後、ノードＢ２１０は移動通信端末にハンドオーバーを指示する（ＨＡＮＤＯＶＥＲ  ＦＲＯＭ  ＵＴＲＡＮ  ＣＭＤ）（Ｓ２１２）。このメッセージには同期移動通信システム関連メッセージが含まれ、特にチャンネル割当のための情報が含まれることになる。ハンドオーバー指示メッセージを受信した移動通信端末は同期モジュールを駆動して同期移動通信システムとの通信準備を行い、同期モードへの転換を実行し、同期移動通信システムの基地局（ＢＴＳ）３１０に逆方向基本チャンネル（Ｒｅｖｅｒｓｅ  Ｆｕｎｄａｍｅｎｔａｌ  Ｃｈａｎｎｅｌ；Ｒ−ＦＣＨ）を通じてフレームを伝送した後（Ｒ−ＦＣＨ  ｆｒａｍｅ）（Ｓ２１３）、ハンドオーバーを完了したことを報告する（ＨＣＭ）（Ｓ２１４）。これにより、移動通信端末１０と同期移動通信システム３０間の接続がなされる。
【００４７】
ついで、基地局（ＢＴＳ）３１０は同期移動通信システムのパケット網と呼設定過程を実行することになるが、まず、基地局（ＢＴＳ）３１０がパケット制御機（ＰＣＦ）３２０に呼設定を要請すれば（Ａ−９  ｃｏｎｎｅｃｔｅｄ）（Ｓ２１５）、パケット制御機（ＰＣＦ）３２０がＰＤＳＮ／ＦＡ３４０に位置登録を要請し、その結果を受信する（Ａ１１−Ｒｅｇ．  Ｒｅｑ／ｒｅｐｌｙ）（Ｓ２１６）。また、ＰＤＳＮ／ＦＡ３４０はＳＧＳＮ２４０／ＧＧＳＮ２６０に位置登録を要請し、その応答を受信する（Ｒｅｇｉｓｔｒａｔｉｏｎ  ｒｅｑ／ｒｅｐｌｙ）（Ｓ２１７）。
【００４８】
以後、パケット制御機（ＰＣＦ）３２０は基地局（ＢＴＳ）３１０に呼設定が完了したことを報告し（Ａ−９  ｃｏｎｎｅｃｔｅｄ  Ａｃｋ）（Ｓ２１８）、基地局（ＢＴＳ）３１０は交換機（ＭＳＣ）３３０にハンドオーバーが完了したことを報告し（Ｈａｎｄｏｆｆ  Ｃｏｍｐｌｅｔｅ）（Ｓ２１９）、交換機（ＭＳＣ）３３０はＳＧＳＮ２４０／ＧＧＳＮ２６０にハンドオーバーを完了したことを通報する（Ｈａｎｄｏｆｆ  Ｃｏｍｐｌｅｔｅ、ＭＳＯＮＣＨ）（Ｓ２２０）。ついで、ＳＧＳＮ２４０／ＧＧＳＮ２６０がノードＢ２１０に移動通信端末との接続を解除することを要請する（Ｉｕ  Ｒｅｌｅａｓｅ  Ｃｍｄ）（Ｓ２２１）。
【００４９】
これにより、非同期移動通信システム２０の移動通信端末へのサービスが解除されれば、移動通信端末はパケットデータサービスノード（ＰＤＳＮ）３４０とＰＰＰ設定を行って（ＰＰＰ  ｅｓｔａｂｌｉｓｈｍｅｎｔ）（Ｓ２２２）、新しいパケットデータ号を設定することになる。新しいパケットデータ呼が設定されれば、移動通信端末はパケット制御機（ＰＣＦ）３２０にモバイルＩＰを割り当てることを要請し（ＭＩＰ  ｒｅｇｉｓｔｒａｔｉｏｎ  ｒｅｑｕｅｓｔ）（Ｓ２２３）、これにより、パケット制御機（ＰＣＦ）３２０はホームエージェント（ＨＡ）３５０にモバイルＩＰ割当を要請し、その応答を受信した後（ＭＩＰ  ＲＲＱ／ＲＲＰ）（Ｓ２２４）、割り当てられたモバイルＩＰを移動通信端末に伝送する（ＭＩＰ  ｒｅｇｉｓｔｒａｔｉｏｎ  ｒｅｐｌｙ）（Ｓ２２５）。
【００５０】
これにより、移動通信端末は非同期移動通信システム２０との接続を全く解除し、基地局（ＢＴＳ）、パケット制御機（ＰＣＦ）、パケットデータサービスノード（ＰＤＳＮ）を通じ、そしてＩＰ網を経由して、ＣＰサーバーから提供するパケットデータサービスを続けて利用することができることになる。
【００５１】
図８及び図９は本発明による移動通信システムに適用されるプロトコルスタックの例示図で、図２に示すようなＤＢＤＭ端末機において、共通モジュール１４０が移動通信端末を制御する構造を有する場合に適用可能な使用者平面プロトコルスタックを示す。
【００５２】
まず、図８は非同期移動通信システムでＰＤＰタイプをＰＰＰとして使用する場合の例を示すもので、非同期移動通信システムとホームエージェント３５０とのインターフェース構築によって容易に具現することができる。
【００５３】
ホームエージェント３５０は、ＩＰ網４０との通信のためのプロトコルスタックとして、コーディング、変造などを実行するための階層（Ｌ１、物理階層）、メッセージの正確な伝送のための応答を処理するための階層（Ｌ２）、及びＩＰ階層を含む。また、非同期網のＧＧＳＮ２６０及び同期網のＰＤＳＮ３４０との通信のためのプロトコルスタックとして、階層Ｌ１、階層Ｌ２及び階層Ｌ２のトンネリングのためのＩＰトンネリング階層を含む。
【００５４】
非同期網のＧＧＳＮ２６０は階層Ｌ１、階層Ｌ２を含み、ホームエージェント３５０のＩＰトンネリング階層に対応してＩＰ使用してデータを伝送するシステムでメッセージ交換を行うＵＤＰ／ＩＰ階層、パケットデータと情報流れを定義するためのＧＴＰ（ＧＰＲＳ  Ｔｕｎｎｅｌｉｎｇ  Ｐｒｏｔｏｃｏｌ）−Ｕ階層、データ通信のためのパケットの圧縮、認証、ＩＰ割当などを行うためのＰＰＰ（Ｐｏｉｎｔ−ｔｏ−Ｐｏｉｎｔ  Ｐｒｏｔｏｃｏｌ）階層を含む。
【００５５】
また、ＳＧＳＮ２４０はＧＧＳＮ２６０とＧｎインターフェースを介して接続され、ＧＧＳＮ２６０で使用するプロトコル変換のために、Ｌ１階層に対応するＬ１ｂｉｓ階層、Ｌ２階層に対応してパケットデータの生成、抽出、交換などを行うＡＴＭ（Ａｓｙｎｃｈｒｏｎｏｕｓ  Ｔｒａｎｓｆｅｒ  Ｍｏｄｅ）階層を含み、そのほかの階層（ＵＤＰ／ＩＰ、ＧＴＰ−Ｕ）で使用するデータに対してはプロトコル変換を行わない。
【００５６】
ついで、ノードＢ／無線網制御機２１０、２２０はＳＧＳＮ２４０とＩｕインターフェースによって接続され、ＳＧＳＮ２４０で使用するプロトコル変換のために、Ｌ１ｂｉｓ階層に対応するＬ１階層、ＡＴＭ階層に対応してマルチメディアデータ処理のための無線資源割当などを行うＭＡＣ（Ｍｅｄｉａ  Ａｃｃｅｓｓ  Ｃｏｎｔｒｏｌ）階層、ＵＤＰ／ＩＰ階層に対応して移動通信端末と無線リンク設定を実行し、パケットデータの組合せ、分割などを実行するためのＲＬＣ（Ｒａｄｉｏ  Ｌｉｎｋ  Ｃｏｎｔｒｏｌ）階層、ＧＴＰ−Ｕ階層に対応してパケットデータヘッダーの圧縮などを実行するためのＰＤＣＰ（Ｐａｃｋｅｔ  Ｄａｔａ  Ｃｏｎｖｅｒｇｅｎｃｅ  Ｐｒｏｔｏｃｏｌ）階層を含む。
【００５７】
さらに、移動通信端末の非同期モデム部１２３は、ノードＢ／無線網制御機で使用するプロトコルの変換のためにＬ１階層はプロトコル変換を行わなく、ＭＡＣ／ＲＬＣ／ＰＤＣＰ階層に対応してリンクの接続と解除のためのリンク管理、同期化問題、流れ制御、エラー制御などを実行するためのＨＤＬＣ（Ｈｉｇｈ−ｌｅｖｅｌ  Ｄａｔａ  Ｌｉｎｋ  Ｃｏｎｔｒｏｌ）フレーミング階層を含み、ＧＧＳＮ２６０のＰＰＰ階層によるデータを受信するＰＰＰ階層を含む。
【００５８】
一方、ＰＤＳＮ３４０は、ホームエージェント３５０で使用するプロトコル変換を実行するために階層Ｌ１、階層Ｌ２及びＩＰトンネリング階層に対応してＩＰを使用してデータを伝送するシステムでメッセージ交換を行うＵＤＰ／ＩＰ階層、パケット暗号化、圧縮を実行するためのＧＲＥ（Ｇｅｎｅｒｉｃ  Ｒｏｕｔｉｎｇ  Ｅｎｃａｐｓｕｌａｔｉｏｎ）階層、データ通信のためのパケットの圧縮、認証、ＩＰ割当を行うためのＰＰＰ（Ｐｏｉｎｔ−ｔｏ−Ｐｏｉｎｔ  Ｐｒｏｔｏｃｏｌ）階層を含む。
【００５９】
パケット制御機（ＰＣＦ）３２０はＰＤＳＮ３４０とＡ−インターフェースＡ１０によって接続され、ＰＤＳＮ３４０で使用するプロトコル変換のために、階層Ｌ１に対応するＬ１ｂｉｓ階層、Ｌ２階層に対応してパケットデータの生成、抽出、交換などを行うＡＴＭ（Ａｓｙｎｃｈｒｏｎｏｕｓ  Ｔｒａｎｓｆｅｒ  Ｍｏｄｅ）階層を含み、そのほかの階層（ＵＤＰ／ＩＰ、ＧＲＥ）で使用するデータに対してはプロトコル変換を行わない。
【００６０】
また、基地局（ＢＴＳ）３１０はパケット制御機（ＰＣＦ）３２０とＡ−インターフェースＡ８によって接続され、パケット制御機（ＰＣＦ）３２０で使用するプロトコル変換のためにＬ１ｂｉｓ階層に対応するＬ１階層、ＡＴＭ階層に対応してマルチメディアデータ処理のための無線資源割当などを行うＭＡＣ（Ｍｅｄｉａ  Ａｃｃｅｓｓ  Ｃｏｎｔｒｏｌ）階層、ＵＤＰ／ＩＰ階層に対応して無線区間で発生するエラーを防止するために、エラーが発生したフレームの再伝送を要求するためのＲＬＰ（Ｒａｄｉｏ  Ｌｉｎｋ  Ｐｒｏｔｏｃｏｌ）階層を含む。
【００６１】
さらに、移動通信端末の同期モデム部１３３は、基地局／パケット制御機で使用するプロトコルの変換のためにＬ１階層はプロトコル変換を行わなく、ＭＡＣ／ＲＬＰ階層に対応してリンクの接続と解除のためのリンク管理、同期化問題、流れ制御、エラー制御などを実行するためのＨＤＬＣ（Ｈｉｇｈ−ｌｅｖｅｌ  Ｄａｔａ  Ｌｉｎｋ  Ｃｏｎｔｒｏｌ）フレーミング階層を含み、ＧＧＳＮ２６０のＰＰＰ階層によるデータを受信するＰＰＰ階層を含む。
【００６２】
最後に、移動通信端末の共通モジュール１４０は、非同期モデム部１２３及び同期モデム部１３３で受信したデータのプロトコル変換のために、Ｌ１階層、ＰＰＰ階層、ＩＰ階層、伝送（Ｔｒａｎｓｐｏｒｔ）階層、応用（Ａｐｐｌｉｃａｔｉｏｎ）階層を含む。
【００６３】
本実施例において、非同期モデム部１２３及び同期モデム部１３３は単に通信機能のみを担当し、共通モジュールでＰＰＰとＩＰ階層上位端のプロトコルが設定されることが分かる。
【００６４】
ついで、図９は非同期移動通信システムでＰＤＰタイプのＩＰを使用する場合を示すもので、ＰＰＰを使用しない場合のプロトコルスタックを示す。本実施例においては、非同期移動通信システムがＰＰＰを使用しないので、図８とは異なり、ＧＧＳＮ２６０と移動通信端末の非同期モデム部１２３にＰＰＰ階層が使用されないことが分かる。
【００６５】
本発明では、パケットデータサービス利用のうち、非同期網から同期網へのハンドオーバーを支援するために、同期網から移動通信端末に新しいＰＰＰ設定及びモバイルＩＰ割当過程を実行することで、移動通信端末に連続的なパケットデータサービスを提供することができる。
【００６６】
以上説明したような本発明は、本発明が属する技術分野の当業者によって、その技術的思想又は必須特徴を変更しなくて他の具体的な形態に実施することができることが理解できるであろう。したがって、以上で説明した実施例はすべての面で例示的なもので限定的なものではないと理解しなければならない。本発明の範囲は前記詳細な説明よりは後述する特許請求範囲によって決められ、特許請求範囲の意味及び範囲、そしてその等価の概念から導出可能なすべての変更又は変形形態が本発明の範囲に含まれると解釈しなければならない。
【産業上の利用可能性】
【００６７】
以上説明したように、本発明は、非同期移動通信システムと同期移動通信システムが混在する移動通信網において、デュアルバンドデュアルモード移動通信端末がドーマント状態にある場合、同期移動通信システムにハンドオーバーした後にも続けてドーマント状態を維持して、パケットデータサービスに直ちに反応するようにし、パケットサービス利用中のハンドオーバーの際には、移動通信端末に新しいモバイルＩＰを割り当てて連続的なサービスを提供することで、サービス品質を向上させることができる。
【図面の簡単な説明】
【００６８】
【図１】本発明が適用される移動通信網の構成図である。
【図２−３】本発明に適用される移動通信端末の構造図である。
【図４Ａ−４Ｂ】本発明の一実施例による、非同期網と同期網が混在する移動通信網でドーマント状態の移動通信端末のハンドオーバー概念図である。
【図５Ａ−５Ｂ】本発明の一実施例による、非同期網と同期網が混在する移動通信網でパケットデータサービス利用中の移動通信端末のハンドオーバー概念図である。
【図６】本発明の一実施例による、ドーマント状態での移動通信端末のハンドオーバー方法を説明するためのフローチャートである。
【図７】本発明の一実施例による、パケットデータサービス利用中の移動通信端末のハンドオーバー方法を説明するためのフローチャートである。
【図８−９】本発明による移動通信システムに適用されるプロトコルスタックの例示図である。
【図１】
2007518343.tif 000003
【図２】
2007518343.tif 000004
【図３】
2007518343.tif 000005
【図４Ａ】
2007518343.tif 000006
【図４Ｂ】
2007518343.tif 000007
【図５Ａ】
2007518343.tif 000008
【図５Ｂ】
2007518343.tif 000009
【図６】
2007518343.tif 000010
【図７】
2007518343.tif 000011
【図８】
2007518343.tif 000012
【図９】
2007518343.tif 000013
【国際調査報告】
2007518343.tif 000014
2007518343.tif 000015